(57)【要約】 【課題】電子マネー機能を有するＩＣカードを活用することでユーザが画像のプリント出力の注文を簡単に行なうことができるようになるＩＣカードシステム、そのＩＣカードシステムに用いられるＩＣカードリーダおよびＩＣカードを提供する。【解決手段】ＩＣカードを改札口に設置されたＩＣカードリーダにかざすと、画像のプリント出力の注文が自動的にプリント受注システムに送信される。プリント受注システムは、プリントが終了したときにユーザがまだ電車の中にいるときには、下車駅の改札口の表示画面上に‘写真が出来上がりました’というメッセージを表示して通知することができるようにプリント完了の情報をＩＣカードリーダに送信する。【選択図】図１
2009205520.tif 000002
【特許請求の範囲】
【請求項１】
改札口に設置されたＩＣカードリーダと、
前記ＩＣカードリーダで読み取られて決済される電子マネー機能が搭載されたＩＣカードとを備え、
前記ＩＣカードが、さらに、画像データを記憶しておく記憶部を備え、前記ＩＣカードリーダによる読取時に該ＩＣカードリーダに向けて画像データを送信するものであり、
前記ＩＣカードリーダが、電子マネーによる決済に加え画像データの受信を行なって、該画像データを、画像のプリント出力の注文を受け付けるプリント受注システムに向けて送信するものであることを特徴とするＩＣカードシステム。
【請求項２】
前記ＩＣカードは、前記記憶部に記憶された画像データのうちの、前記ＩＣカードリーダに送信したデータと未送信のデータを識別する識別手段を有し、前記ＩＣカードリーダによる一回の読取りでは送信不能な量の画像データについては複数回の読取りに渡って分担して送信するものであることを特徴とする請求項１記載のＩＣカードシステム。
【請求項３】
前記ＩＣカードリーダは、前記プリント受注システムからプリントの完了の通知を受け、画像データの送信を受けた前記ＩＣカードの読取時にプリントの完了の報告を行なうものであることを特徴とする請求項１又は２記載のＩＣカードシステム。
【請求項４】
改札口に設置されたＩＣカードリーダであって、
ＩＣカードを読み取って電子マネーによる決済を行なう決済手段と、
前記ＩＣカードから送信された画像データを受信して、該画像データを、画像のプリント出力の注文を受け付けるプリント受注システムに向けて送信する送信手段とを備えたことを特徴とするＩＣカードリーダ。
【請求項５】
ＩＣカードリーダで読み取られて決済される電子マネー機能を有するＩＣカードであって、
画像データを記憶しておく記憶部を備え、前記ＩＣカードリーダによる読取時に該ＩＣカードリーダに向けて前記記憶部内の画像データを送信するものであることを特徴とするＩＣカード。
【発明の詳細な説明】
【技術分野】
【０００１】
本発明は、撮影装置、管理サーバに関する。
【背景技術】
【０００２】
最近、ＰＡＳＭＯ（登録商標）やＳＵＩＣＡ（登録商標）といった電子マネー機能が搭載されたＩＣカード（以降、単にＩＣカードと記載する）が普及し始めている。このようなＩＣカードは、駅等に設置されているチャージ機に現金が挿入されるとその現金分の額の電子マネーがチャージされてプリペイドカードとしての機能が発揮される。このため、ユーザはわざわざ切符を購入しなくてもそのＩＣカードを自動改札システムが備える改札器に設置されたＩＣカードリーダ上にかざすだけで電車を利用することが可能となる。したがって、このような自動改札システムが備えるＩＣカードリーダ内には電子マネーの使用の可否を定める決済手段が必ず備えられている。また、この自動改札システムを円滑に運用するために改札器のＩＣカードリーダや券売機等はネットワークにより管理サーバに接続されていてその管理サーバによってデータの集計等などが行なわれたり、使用状況等が監視されたりもしている。
【０００３】
また、ＩＣカードを持っているユーザは、上記自動改札システムに限らず、ＩＣカードリーダーのある販売店においてはＩＣカードリーダの決済をもって現金を支払わなくても買い物を行なうことができる。最近ではＩＣカードの更なる普及を考えて、電子マネーの情報以外に画像や音声をＩＣカードの記録部に記録することができるようにする技術が考えられている（例えば特許文献１、２参照）。
【０００４】
また電子マネー機能を有するお財布ケータイと呼ばれる携帯電話機も普及してきており、このお財布ケータイについても、上記ＩＣカードと同様に、様々なサービスを考えた技術が提案されている（特許文献３参照）。
【０００５】
ところで、最近、ユーザがインタネット等のネットワークを使って撮影画像のプリントの注文をプリントを実施する店に送信すると、プリントの出来上がりがネットワークを通して注文したユーザに通知されるというプリント受注システムが普及してきている（例えば特許文献４参照）。このようなシステムの中には飛行機で目的地に移動するときにユーザが出発地でプリントの注文を行なうとネットワークを経由して注文がプリント業者に伝えられて到着地に降り立ったユーザにプリントされた画像が手渡されるというサービス等もある（例えば特許文献５参照）。
【０００６】
しかし特許文献４、特許文献５のいずれのものも注文を行なうときの操作が煩雑になるという問題を抱えている。
【特許文献１】特開２００４−１２６０９６号公報
【特許文献２】特開２００７−７９８４５号公報
【特許文献３】特開平１１−３５３３７３号公報
【特許文献４】特開平１１−１４６１１８号公報
【特許文献５】特開２０００−３１０８１９号公報
【発明の開示】
【発明が解決しようとする課題】
【０００７】
本発明は、上記事情に鑑み、電子マネー機能を有するＩＣカードを活用することでユーザが画像のプリント出力の注文を簡単に行なうことができるようになるＩＣカードシステム、そのＩＣカードシステムに用いられるＩＣカードリーダおよびＩＣカードを提供することを目的とする。
【課題を解決するための手段】
【０００８】
上記目的を達成する本発明のＩＣカードシステムは、
改札口に設置されたＩＣカードリーダと、
上記ＩＣカードリーダで読み取られて決済される電子マネー機能が搭載されたＩＣカードとを備え、
上記ＩＣカードが、さらに、画像データを記憶しておく記憶部を備え、
上記ＩＣカードリーダによる読取り時にそのＩＣカードリーダに向けて画像データを送信するものであり、
上記ＩＣカードリーダが、電子マネーによる決済に加え画像データの受信を行なって、その画像データを、画像のプリント出力の注文を受け付けるプリント受注システムに向けて送信するものであることを特徴とする。
【０００９】
上記本発明のＩＣカードシステムによれば、上記ＩＣカードが備える記憶部に記憶されている画像データが改札口に設置された上記ＩＣカードリーダに向けて送信されると、そのＩＣカードリーダによって画像データが受信されて、さらにそのＩＣカードリーダからプリント受注システムにその画像データが送信される。
【００１０】
そうすると、上記本発明のＩＣカードシステムでは、ユーザが改札口でＩＣカードリーダにＩＣカードをかざすという行為をしたときに上記ＩＣカードリーダによって電子マネーの決済が行なわれるとともに画像データの受信が行なわれてプリント出力の注文がプリント受注システムに自動的に送信されるということになる。このため、ユーザは、いままでのように煩雑な操作をしなくても１タッチ操作を行なうだけで簡単に画像のプリント出力の注文を行なうことができるようになる。
【００１１】
ここで、上記ＩＣカードは、上記記憶部に記憶された画像データのうちの、上記ＩＣカードリーダに送信したデータと未送信のデータを識別する識別手段を有し、
上記ＩＣカードリーダによる一回の読取りでは送信不能な量の画像データについては複数回の読取りに渡って分担して送信するものであることが好ましい。
【００１２】
ユーザが改札口を通過する際にＩＣカードをＩＣカードリーダにかざしている時間が短いということを考えると、ＩＣカードからＩＣカードリーダに画像データを送信し切れないケースが出てくることが予想される。
【００１３】
そこで、上記のように上記ＩＣカードが、複数回に渡って分担してＩＣカードリーダに送信するようにしておくと、ユーザが何回か改札口を通る度にすべての画像データが確実に送信されることとなる。
【００１４】
また、上記ＩＣカードリーダは、上記プリント受注システムからプリントの完了の通知を受け、画像データの送信を受けた上記ＩＣカードの読取時にプリントの完了の報告を行なうものであることが好ましい。
【００１５】
そうすると、ユーザが改札口に設置された上記ＩＣカードリーダにＩＣカードをかざしたときに、その改札口にある表示画面上に‘プリントを完了しました’という表示を行なってプリントが完了したという報告をユーザに行なうことができる。この報告を受けたユーザは、プリント業者のところへいってプリント画像つまり写真を受け取ることができる。
【００１６】
ここで上記ＩＣカードシステムを構成するＩＣカードリーダとＩＣカードは以下のような構成であることが望まれる。
【００１７】
つまり、上記目的を達成する本発明のＩＣカードリーダは、
改札口に設置されたＩＣカードリーダであって、
ＩＣカードを読み取って電子マネーによる決済を行なう決済手段と、
上記ＩＣカードから送信された画像データを受信して、その画像データを、画像のプリント出力の注文を受け付けるプリント受注システムに向けて送信する送信手段とを備えたことを特徴とし、
上記目的を達成する本発明のＩＣカードは、
ＩＣカードリーダで読み取られて決済される電子マネー機能を有するＩＣカードであって、
このＩＣカードは、
画像データを記憶しておく記憶部を備え、
前記ＩＣカードリーダによる読取時に該ＩＣカードリーダに向けて前記記憶部内の画像データを送信するものであることを特徴とする。
【発明の効果】
【００１８】
以上、説明したように、電子マネー機能を有するＩＣカードを活用することでユーザが撮影画像のプリント出力の注文を簡単に行なうことができるようになるＩＣカードシステム、そのＩＣカードシステムに用いられるＩＣカードリーダおよびＩＣカードが実現する。
【発明を実施するための最良の形態】
【００１９】
以下、図を参照して本発明の実施の形態を説明する。
【００２０】
図１は、本発明のＩＣカードシステム２の概念を説明するための概念図である。
【００２１】
この図１のＩＣカードシステム２の概念を表わす概念図には、ユーザが乗車駅でＩＣカード２０を改札口に設置されたＩＣカードリーダ２１にかざすと自動的にプリント受注システム２００に向けてプリント出力の注文が行なわれて、ユーザが下車駅でＩＣカード２０を改札口に設置されたＩＣカードリーダ２１に再びかざしたときには画像のプリント出力ができているかどうかの確認を行なうことができるということが示されている。
【００２２】
この図１の概念を実現するために図１の本実施形態のＩＣカードシステム２においては改札口に設置されている多数のＩＣカードリーダ２１を、従来よりあるプリント受注システム２００の端末として組み込んで、ＩＣカードリーダ２１がＩＣカード２０から受信した画像データをプリント受注システム２００に向けて自動的に送信することができるようにしている。この図１の例では、ＩＣカードリーダ２１がプリント受注システム２００を構成するネットワークドライバ２１０を備えた例が示されており、そのネットワークドライバ２１０が本発明にいう送信部の一例を構成することになる。本実施形態のネットワークドライバは受信機能も有しているので、図１の例では、プリント受注システム２００からの情報を受け取って‘写真が仕上がりました’の情報を改札口の表示画面に表示する例が示されている。
【００２３】
また本実施形態では、ＩＣカード２０をプリント受注システム２００の移動端末として使用することができるようにするために、後述するデジタルカメラにＩＣカードＩＦとアンテナとを組み込んでＩＣカード２０にユーザ自らが画像データの記録を行なうことができるようにしている。
【００２４】
このようにデジタルカメラに画像データをＩＣカード２０に記録するための記録手段を設けるとともに、ＩＣカードリーダ２１をプリント受注システムに組み込むことによって、ユーザがそのＩＣカードを使って１タッチ操作を行なうだけで画像のプリントの注文を簡単に行なうことができるＩＣカードシステムを構築することができる。
【００２５】
ここで、まずＩＣカード２０に画像データの記録を行なうことができるＩＣカードＩ／Ｆを備えたデジタルカメラの構成を説明する。
【００２６】
図２は、本発明のＩＣカードシステム２に用いられるＩＣカード２０に画像データの記録を行なうことができるデジタルカメラ１００を示す図である。
【００２７】
図２（ａ）には、デジタルカメラ１００を前方から見た正面図が示されており、図２（ｂ）には、デジタルカメラ１００を後方から見た背面図が示されており、図２（ｃ）には、デジタルカメラ１００を上方から見た上面図が示されている。
【００２８】
ＩＣカード２０に画像データの記録を行なう部分の構成および動作を説明する前に、図２のデジタルカメラ全体の構成を簡単に説明しておく。
【００２９】
図２に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２等が備えられている。また本実施形態のデジタルカメラには撮影画像を表わす画像データをＩＣカード２０に記録するためのＩＣカード送受信用アンテナ１９１が筐体内に設けられている。
【００３０】
また、このデジタルカメラ１００の上面には、電源スイッチ１１４と、レリーズボタン１１５と、モードダイヤル１１６が備えられている。モードダイヤル１１６はそのダイヤルを回すことにより静止画モードと動画モードとを交互に切り換えることができるようになっている。
【００３１】
さらに図１（ｂ）示すように、デジタルカメラ１００の背面には、ＬＣＤパネル１５１Ａ、ファインダ１１３、メニューボタン１１７、決定ボタン１１８、キャンセルボタン１１９、十字キー１２０などが備えられている。
【００３２】
ＬＣＤパネル１５１Ａは、撮影レンズにより被写体光を捉えて生成された画像データからなる画像、および種々の設定時における情報を表示するものである。
【００３３】
メニューボタン１１７は、撮影時や再生時における各種のメニューをＬＣＤパネル１１７Ａ上に表示させるボタンであり、決定ボタン１１８は、表示されたメニューの中から所望のメニューを選択し決定するためのボタンである。
【００３４】
キャンセルボタン１１９は、メニューボタン等による操作を１つ前の状態に戻したり操作を取り消したりするためのボタンである。
【００３５】
十字キー１２０は、様々なモードでその役割が変化し、例えば静止画モードではマクロキーやフラッシュキーであったり、再生モードではＬＣＤパネル１５１Ａに表示したサムネイルの選択キーであったりする。マクロキーは、マクロ撮影を行なうか否かを切り換えるためのキースイッチであり、一度押下するとマクロ撮影モードとなり、再度押下するとマクロ撮影モードが解除される。フラッシュキーは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのキースイッチである。
【００３６】
次に、図２に示したデジタルカメラ１００の回路構成について説明する。
【００３７】
図３は、図２に示したデジタルカメラ１００の回路構成を示すブロック図である。
【００３８】
このデジタルカメラ１００の動作はＣＰＵ１３０によって統括的に制御される。
【００３９】
そのＣＰＵ１３０の入力部には図１に示すメニューボタン１１７、十字キー１２０等を備える操作部１３１が接続されており、その操作部１３１からの操作信号に応じた処理がＣＰＵ１３０によって実行される。
【００４０】
そのＣＰＵ１３０の出力部には、撮像部１４０や閃光発光を行なう閃光発光部１３３のメインコンデンサに充電を行なう充電部１３２が接続されており、またバスＢＵＳを介してＬＣＤＩ／Ｆ１５０やメモリＩ／Ｆ１６０や圧縮伸張回路１７０や外部メモリＩ／Ｆ１８０、さらには図２のデジタルカメラ１００で撮影した撮影画像をＩＣカード２０に書き込むためのＩＣカードＩＦ１９０が接続されている。
【００４１】
このため、例えば操作部１３１の中の撮影モードダイヤルがユーザにより操作されて撮影モードに切り替えられたときには、ＣＰＵ１３０はその切替信号を受け取って撮像部１４０とＬＣＤＩ／Ｆ１５０を制御して撮影処理を開始させることができ、また操作部１３１の中のレリーズボタン１１５が操作されたときには撮像部１４０とメモリＩ／Ｆ１６０と圧縮・伸張処理回路１７０と外部メモリＩ／Ｆとを制御して各部に記録処理を行なわせることができる。
【００４２】
ここで、まず撮像部１４０の構成を説明しながら撮影モード時にズーム鏡胴内のレンズが捉えた被写体像をスルー画としてＬＣＤパネル１５１Ａ上に表示するための処理を説明する。
【００４３】
図２に示す様に撮像部１４０には、被写体の撮影を行なうための光学ユニット１４１とＣＣＤ固体撮像素子（以降ＣＣＤという）１４２が備えられている。その光学ユニット１４１でＣＣＤ１４２上に結像された被写体像を表わす画像信号がＣＣＤ１４２で生成されそのＣＣＤ１４２で生成された画像信号が後段のアナログ信号処理部１４３へと出力される。このＣＣＤ１４２から出力される信号はＣＣＤ１４２が備えるすべての画素の信号ではなく間引かれた信号になる。
【００４４】
また上記光学ユニット１４１には、ピント調整用のフォーカスレンズや焦点距離調節用のズームレンズを光軸に沿って動かすための機構が備えられているため、その機構を駆動するためのモータ駆動部１４１０が接続されている。またＣＣＤ１４２にはＣＣＤ１４２に電子シャッタを設定するためのタイミングジェネレータ１４２０が接続されている。これらのモータ駆動部１４１０、タイミングジェネレータ１４２０は、それぞれ、ＣＰＵ１３０によって制御される。
【００４５】
さらにＣＣＤ１４２から出力された画像信号が供給されるアナログ信号処理部１４３では、タイミングジェネレータ１４２０からのタイミング信号に同期してノイズの低減処理が行なわれたり、画像信号の増幅が行なわれたりする。こうして、アナログ信号処理部１４３で画像信号の増幅により感度の調整が行なわれた後のアナログの画像信号がタイミングジェネレータ１４２０からのタイミング信号に同期してＡＤＣ１４４でデジタルの画像信号に変換されてデジタル信号処理部１４５へと供給される。
【００４６】
そしてデジタル信号処理部１４５で画像信号がＲＧＢ信号からＹＣ信号に変換されてＣＰＵ１３０の制御の下にそのデジタル信号になった画像信号がバスＢＵＳに導かれる。このバスＢＵＳに導かれた画像信号がＬＣＤＩ／Ｆ１５０を介してＬＣＤ１５１に供給されＬＣＤ１５１によってＬＣＤパネル１５１Ａ上にその画像信号に基づくスルー画が表示される。
【００４７】
ここでユーザによって操作部１３１の中のレリーズボタン１１５が操作されたときには、ＣＰＵ１３０はその操作を受けて本画像の撮影処理を撮影部１４０、メモリＩ／Ｆ１６０、圧縮・伸張処理回路１７０、外部メモリＩ／Ｆ１８０等に行なわせる。
【００４８】
このときにはＣＣＤ１４２から出力された全画素からなる画像信号が電子シャッタのオフタイミングでアナログ信号処理部１４３へと出力されてアナログ信号処理部１４３でノイズ低減処理や増幅処理が行なわれることにより感度の調整が行なわれる。そしてその感度の調整が行なわれた画像信号がＡＤＣ１４４でデジタルの画像信号に変換されてデジタル信号処理部１４５へと供給される。このデジタル信号処理部１４５では、ＲＧＢ信号からＹＣＣ信号への変換処理が行なわれ、ＹＣＣ信号がＣＰＵ１３０の制御の下にバスＢＵＳへと導かれて一旦メモリＩ／Ｆ１６０を経由してメモリ１６１に記憶される。そして全画素からなる画像信号がメモリ１６１に全て記憶されると、今度はそのメモリ１６１から画像信号が読み出されてバスＢＵＳを経由して圧縮・伸張処理回路１７０に供給される。そして圧縮・伸張処理回路１７０で画像信号の圧縮が行なわれて圧縮された画像信号が外部メモリＩ／Ｆ１８０を介してメモリカード１８１に記録される。こうして撮影画像がメモリカード１８１に記録される。
【００４９】
図２のデジタルカメラ１００は上記の様な構成を有し、上記の様に動作する。
【００５０】
ここで本実施形態のデジタルカメラ１００においては、ＩＣカードＩＦ１９０とアンテナ１９１とを設けて、メモリカード１８１内にある多数の撮影画像のうち、プリント出力を注文する画像をＩＣカード２０内の記録部に記録することができるようにしているのでその構成を詳しく説明する。
【００５１】
図４は、そのプリント出力を注文する画像をＩＣカードに記録するときのメニュー画面を示す図である。
【００５２】
図４を参照しながらユーザがどのように操作してＩＣカード２０に画像データを記録するかを説明する。
【００５３】
まず、図１のデジタルカメラ１００で撮影が終了した後、ユーザによってメニューボタン１１７が押されると、図３の左側の最上段にある表示画面（撮影モード…・）がＬＣＤパネル１５１Ａ上に表示される。
【００５４】
ここで、ユーザの十字キー１２０等の操作によりプリント設定モードが指定されると、ＬＣＤパネル１５１Ａ上の表示画面が下段の表示画面（次の中から…・）に切り替えられる。
【００５５】
さらに左上から２段目の表示画面（次の中から…・）が表示された後、所定の時間の経過を待って左上から数えて３段目の表示画面（ＯＫで…・）に切り替えられる。この表示画面のときに３枚の画像のうち２枚の画像が十字キー１１７等の操作により選択され、さらに決定ボタン１１８が押されると、その下段の表示画面（ＩＣカードを近づけてください）へと切替られる。ここで、ＩＣカード２０がデジタルカメラ１００の所定の距離範囲内に近づけられると、ＩＣカード２０への画像データの記録が実行される。そして記録が終了すると、最下段の表示画面（転送が完了しました！）に切り替えられる。
【００５６】
ここまでで画像データの記録が行なわれる。
【００５７】
本実施形態では、画像データの記録のほかに、店舗の変更（デフォルトの設定では△市Ｂ店になっている）を行なうこともできるようにしている。
【００５８】
このため、左最下段の表示画面（転送が完了しました！）が表示された後、所定の時間の経過を待って右上の最上段の表示画面（お店を以下から…・）に切替られるようになっている。ここでユーザの十字キー１２０の下キーが操作されると、下の段の表示画面に切り替えられて次々に新たな店名が表示画面上に表示される。このときには、十字キー１２０の下キーの操作によりスクロールして新たに表示された店名が枠カーソルにより囲まれて表示される。ここで、例えば上から３番面の店に枠カーソルが表示されているときに決定ボタン１１８が操作されると、下段の表示画面（市Ｄ点…・）に切り替えられて、さらに下段の、プリント出力を依頼する店が良いかどうかをユーザに問い合わせる表示画面に切り替えられる。ここで枠カーソルが‘はい’に設定された状態で決定ボタン１１８が操作されると店舗情報がＩＣカード２０に記録される。
【００５９】
このようにしてユーザ操作が行なわれると、ＩＣカード２０に少なくとも一つの画像データが記録され、さらにＩＣカード２０に注文を行なう店名等も記録される。
【００６０】
ここで、本実施形態ではデジタルカメラ１００がＩＣカード２０に画像を記録している最中にユーザがＩＣカード２０を動かしたり、デジタルカメラを動かしたりしてしまうことがあることを想定して処理を実行している。
【００６１】
図５は、ＣＰＵが実行するＩＣカードへの記録処理の処理手順を示すフローチャートである。
【００６２】
ステップＳ５０１でプリント設定モードが選択されて図４の左上から３段目までの操作が行なわれたとして以降説明する。次のステップＳ５０２でＣＰＵ１３０は、図４の左上から４段目にあるように、ＬＣＤパネル上に‘ＩＣカードを近づけてください’という表示を行なうとともに、画像の記録を行なっている最中にはＩＣカード２０がアクセス範囲内にあるかどうかを判定し続ける。このステップＳ５０２でＩＣカード２０がアクセス範囲外にあると判定したときにはステップＳ５０５で記録を中断してこのフローの処理を終了する。またステップＳ５０２でＩＣカード２０がアクセス範囲内にあると判定したときには、ステップＳ５０３へ進んで１画像データをＩＣカード２０に記録して、次のステップＳ５０４ですべての画像データの記録が終了したかどうかを判定する。このステップＳ５０４で全ての画像データの記録が終了していないと判定したときにはステップＳ５０２に戻ってステップＳ５０２からステップＳ５０４までの処理を繰り返し、ステップＳ５０４で全ての画像データの記録が終了したと判定したときにはこのフローの処理を終了する。
【００６３】
このようにしておくと、画像の記録中にユーザがＩＣカードを動かしてしまうようなことがあってもＣＰＵ１３０が暴走することがない。
【００６４】
図６は、図４のデジタルカメラでＩＣカード２０に画像データが記録されるときのＩＣカード２０内の記憶部２０Ａ内の記憶フォーマットである。
【００６５】
図６に示す様に本実施形態ではＩＣカード２０の記録部２０Ａが、図１のＩＣカードシステム２を運用するためのプロトコルに準拠した記録エリアになるように区切られている。
【００６６】
図４で説明した操作を行なってＩＣカード２０に記録すると、図６に示す各記録エリアにそれぞれ画像データが記録される。このＩＣカード２０内の予め区切られた記録領域内に画像データ等が記録されると、ＩＣカードリーダ２１によりその内容が正しく読み取られてプリント受注システムに画像のプリントの注文が正しく行なわれる。
【００６７】
図６を参照して各記録エリアを説明する。
【００６８】
図６に示す様にＩＣカード２０内の記憶部２０Ａには、まずカードＩＤ番号や契約者ＩＤ番号が登録される記録エリアが設けられている。これらのエリアには、例えば券買機でユーザ操作により情報が入力されたときのユーザの個人情報がそれぞれ記録される。なお電子マネーが搭載されたＩＣカードにおいてはマネー情報記録エリアにマネー情報が記録されるが、ここでは省略してある。
【００６９】
またユーザのプリントの注文を１つのＪＯＢとするＪＯＢＩＤという記録エリアとＪＯＢの終了を意味するＥＯＦ（Ｅｎｄ  Ｏｆ Ｆｉｌｅ）という記録エリアがそれぞれ設けられており、そのＪＯＢＩＤの記録エリアとＥＯＦの記録エリアとの間に図４の操作により入力された情報が順序よく整理されて記録されるように、店舗ＩＤという記録エリア、総コマ数という記録エリア、コマ番号という記録エリア、画像データという記録エリアがそれぞれ設けられている。
【００７０】
その他に本実施形態のＩＣカードシステム２においては、ユーザが改札口に設置されたＩＣカードリーダ２１を通過する時間が僅かであることを考えて、プリントの完了ＪＯＢＩＤ番号と未完了ＪＯＢＩＤ番号という記録エリアがＪＯＢＩＤという記録エリアよりも先頭番地に近い側に設けられている。
【００７１】
これらは、一箇所の改札口でＩＣカード内の記録部の画像データを一度にＩＣカードリーダに送信することができなかった場合には、画像データを複数回に渡って分担して送信することができるようにするためのものであって、それらの記録エリアの内容はＩＣカードリーダ２１側からの書き換え信号により更新可能になるように構成されている。またこのように複数回に渡って分担してＩＣカード２０からＩＣカードリーダ２１に画像データを送信する構成にすると、例えば乗換の改札口に設置されたＩＣカードリーダにかざしたときにこれから送信しようとする画像データの先頭番号が分からなくなる恐れがあるので、完了ＪＯＢＩＤ番号という記録エリアと未完了ＪＯＢＩＤ番号という記録エリアに加えて、転送開始番号という記録エリアも設けられている。
【００７２】
こうしてＩＣカード２０が備える記録部２０ＡがＩＣカードシステム２を運用するのに適した形にフォーマットされていると、そのＩＣカード２０がＩＣカードリーダ２１にかざされる度にＩＣカードリーダ２１によってそれらのエリアのデータが所定のルールに法って読み取られるとともに更新可能な記録エリアの内容については適切に更新されるようになる。
【００７３】
そしてカードリーダ２１によって一連のＪＯＢの終了を表わすＥＯＦ（Ｅｎｄ  Ｏｆ  Ｆｉｌｅ）の記録エリアの内容が読み取られて一連のＪＯＢが終了したということが認識されると、以降このＩＣカード２０の画像データの読取が行なわれなくなり、ＩＣカードリーダ２１がプリント受注システムからのプリント完了を表わす情報の通知を受けて改札口の表示画面上にプリント完了を表わす情報の表示を行なう処理を残すのみとなる。
【００７４】
以上においては、デジタルカメラ１００によるＩＣカード２０への記録処理と、その記録が行なわれたＩＣカード２０を用いてプリント受注システム２００に画像のプリント出力の注文が行なわれることを説明してきたが、自動改札システムにおいては、ＩＣカード２０がＩＣカードリーダ２１にかざされたときに決済が行なわれて初めて電子マネーでの支払いが成立する。
【００７５】
そこで、本実施形態のＩＣカードシステム２がその自動改札システムに組み込まれた場合に、ＩＣカードリーダ２１が決済処理と画像のプリントの注文をどのようにして行なうかを説明する。
【００７６】
図７は、改札口に設置されたＩＣカードリーダ２０が実行する処理の手順を示すフローチャートである。
【００７７】
ステップＳ７０１でＩＣカード２０がアクセス範囲内にあるかどうかを判定する。ここでアクセス範囲内にないときには、ステップＳ７０１の処理を繰り返す。
【００７８】
このステップＳ７０１でＩＣカードがアクセス範囲内にあると判定したときにはＹ側へ進んで、ステップＳ７０２でＩＣカード２０との間でハンドシェイクを行なってステップＳ７０３で電子マネー記録エリアの内容に基づいて通常の決済処理を実行する。このステップＳ７０３でいう通常の決済処理とは決済可能であったときには電子マネー記録エリアのマネー情報を更新するとともにゲートを開放する処理を行ない、決済不能であったときには、ゲートの開放を禁止する処理を行なう程度の処理のことである。
【００７９】
次のステップＳ７０４で、未完了ＪＯＢがあるかどうかを判定する。図６で説明した様にプリント受注システムの先頭ＪＯＢに相当するＪＯＢＩＤという記録エリアの前の番地にある未完了ＪＯＢＩＤ番号という記録エリア内の情報に基づいて未完了ＪＯＢがあるかどうかを判定する。
【００８０】
このステップＳ７０４で未完了ＪＯＢがないと判定したらＮ側へ進んでステップＳ７０１に戻ってＳ７０１からの処理を繰り返す。
【００８１】
ステップＳ７０４で未完了ＪＯＢがあると判定したらＹ側へ進んでステップＳ７０５で転送可能データ量を算出する。このステップＳ７０５で転送可能なデータ量を算出した後、まず、ステップＳ７０６で先頭コマの１つの画像データをプリント受注システムに送信する。一つの画像データの送信を終了した後においてはステップＳ７０７で送信が正しく終了したかどうかを判定し、正しく送信が終了して記録することができたと判定したときにはＹ側へ進んで次のステップＳ７０８でＩＣカード２０内の記録部２０ＡのＪＯＢデータの更新つまり転送開始番号という記録エリアの内容の書換えを行なう。次のステップＳ７０９で転送結果を改札口の表示画面上に表示して次のステップＳ７１０でステップＳ７０５で算出した転送可能データ量に鑑みて今回の送信におけるデータの残りがあるかどうかを判定する。このステップＳ７１０で残りがあると判定したときにはＹ側へ進んでステップＳ７０６に戻ってステップＳ７０６からステップＳ７１０の処理を繰り返し、ステップＳ７１０でデータの残りはないと判定したときにはステップＳ７１１へ進んでステップＳ７１１でＩＣカード２０内の記録部２０Ａの先頭番地側にある未完了ＪＯＢＩＤ番号という記録エリアと完了ＪＯＢＩＢ番号という記録エリアの内容を更新してこのフローの処理を終了する。
【００８２】
またステップＳ７０７でプリント受注システムからの通信完了のプルーフが送信されてこない、いわゆる送信不能状態が発生したときには、図６に示すプロトコルに準じたデータではないとしてデータを破棄してこのフローの処理を終了する。
【００８３】
このように図１に示すＩＣカードシステムでは、電子マネー機能が搭載されたＩＣカードであるＰＡＳＭＯ（登録商標）やＳＵＩＣＡ（登録商標）を、プリント受注システムの移動端末として用いることで簡単に画像のプリント出力の注文を行なうことができるＩＣカードシステムを実現している。
【００８４】
また図１のＩＣカードシステムの汎用性や拡張を考えると、プリントを行なう店頭にＩＣカードリーダ（以降においては改札口に設置されたＩＣカードリーダと区別するために店頭機という）を配置してそのＩＣカードリーダをプリント受注システムに組み込んだ方が良い。そうすると、ＩＣカード２０をより効率的に活用することができる。
【００８５】
図８は、店頭機を店に設置した場合のプリント受注システムのサーバーが実行する処理を説明するフローチャートである。また図９は、店頭機が実行する処理を説明するフローチャートである。
【００８６】
ステップＳ８０１で改札口に設置されたＩＣカードリーダ２１から画像データのプリントの注文がアップロード（ｕｐｌｏａｄ）されてきたかを判定する。このステップＳ８０１でアップロードされていないと判定したときにはステップＳ８０１の処理を繰り返し、ステップＳ８０１でアップロードされたと判定したときにはステップＳ８０２へ進んで図６のフォーマットで記録されている情報のうちの店舗情報という記録エリア内に記録されていた情報を解析して店舗を特定する。次のステップＳ８０３で特定した店舗へ向けて画像データを送信する。次のステップＳ８０４で店舗から店頭機を通してプリント完了報告が届いているかを判定する。このステップＳ８０４でプリント完了報告が店頭機からあったと判定したときには、ステップＳ８０５で枚数などから請求金額計算を行なってステップＳ８０６で店頭機へ請求書情報を送信してこのフローの処理を終了する。
【００８７】
ステップＳ８０４で、プリント完了報告が店頭機から送信されてきていないと判定した場合には、Ｎ側へ進んでステップＳ８０７でステップＳ８０３の処理のときにスタートさせたタイマのタイマー値を参照して次のステップＳ８０８でタイムアウトかどうかを判定する。このステップＳ８０８で、タイムアウトではないと判定したときにステップＳ８０４の処理を繰り返す。ステップＳ８０８でタイムアウトになっていると判定したときにはステップＳ８０９へ進んでステップＳ８０９でエラー処理を行なってステップＳ８０３に戻って特定した店舗へプリント完了までの時間が長すぎる旨の警告を行なって以降ステップＳ８０４の処理を繰り返す。
【００８８】
この図８の処理をプリント受注システムのサーバが実行すると、店頭機に決済処理等を行なわせることができるので、次に図９を参照して、図８の処理で店頭機に送信されてきた情報に基づいて決済処理等を実行する店頭機の処理を説明する。
【００８９】
ステップＳ９０１で、プリント受注システム２００のサーバからの画像データの注文を受信したかどうかを判定する。ステップＳ９０１で受信したと判定したときにはＹ側へ進んでステップＳ９０２でプリントを実行する。次のステップＳ９０３でサーバから課金データを受信する。ステップＳ９０４でユーザが受け取りにきているかどうかをＩＤ番号等で判定し、次のステップＳ９０５でＩＣカードがＩＣカードリーダの読取部にタッチされたと判定したらステップＳ９０６で課金に応じた料金の支払いを認めるだけの電子マネーがあるかどうかの決済処理を行なってこのフローの処理を終了する。
【００９０】
この様な構成にすると、ＩＣカード２０をより効率的に活用することができるようになる。
【００９１】
最後に、最下位に位置するＩＣカードとそのＩＣカードの上位に位置するＩＣカードリーダおよび店頭機とそのＩＣカードリーダおよび店頭機の上位に位置するサーバとの間の情報のやりとりを一覧にして説明する。
【００９２】
図１０は、端末（ＩＣカード）と自動改札機（ＩＣカードリーダ）とサーバ（プリント受注システム）と店頭機との間の情報のやり取りの状態を説明する通信状態図である。
【００９３】
図１０に示す端末は、今まで説明してきたＩＣカードであり、自動改札機がＩＣカードリーダである。またサーバはプリント受注システムのサーバであり、店頭機は、店頭に設置されたＩＣカードリーダである。
【００９４】
まず、ＩＣカードが、改札機に設置されたＩＣカードリーダにかざされると、ＩＣカードリーダからサーバに対して未完了ＪＯＢの処理要求が送信される。この処理要求を受けてサーバはＩＣカード内の未処理ＪＯＢＩＤ番号という記録エリア内にある情報をＩＣカードリーダに読み取らせるとともに読み取らせた情報の送信を要求する。そしてその未処理ＪＯＢＩＤ番号という記録エリア内の情報に基づいてＩＣカードリーダが未処理ＪＯＢがあるということを認識した場合には、ＩＣカードリーダはサーバからの要求に応えて未処理ＪＯＢがあるということをサーバに送信する。その情報の送信を受けてサーバが未処理ＪＯＢがあるということを認識したときには、未処理のコマデータについての送信要求をＩＣカードリーダに送信する。このコマデータの送信要求を受けて、ＩＣカードリーダは、ＩＣカードから画像データをコマごとに読み取ってサーバに送信する。サーバが最後の３コマの送信を受けたときには、３コマの転送済みである情報をＩＣカードリーダに送信して改札口の表示画面上にその旨の表示を行なわせる。
【００９５】
ここではまだＩＣカードがＩＣカードリーダにかざされている状態にあるとして、サーバはＩＣカードリーダにＩＤカード内の記憶部の完了ＪＯＢＩＤ番号と未完了ＪＯＢＩＤ番号という記憶エリア内の情報の更新を行なわせる。このときに今回の送信によりすべてのコマの画像データの送信が終了していたときにはＩＣカードリーダはＥＯＦという記録エリア内の情報をＪＯＢ完了通知としてサーバに送信する。
【００９６】
そうしたらサーバは、そのＪＯＢ完了通知を受けて店頭機に注文データを送信する。この送信を受けた店頭機からはプルーフとして注文受付通知がサーバに返送される。その後、店頭でのプリントが終了すると今度はプリント終了通知が店頭機からサーバに送信される。そして今回のプリントのＪＯＢが完了したＩＣカードを持った人によってそのＩＣカードが改札口に設置されたＩＣカードリーダにかざされると、未完了ＪＯＢＩＤ番号という記憶エリア内の情報がないことを踏まえてＩＣカードリーダからサーバに向けて注文ステータスの問い合わせが行なわれる。この例ではサーバが店頭機からの印刷終了通知を受けているので、サーバからＩＣカードリーダに注文完了通知が発行される。
【００９７】
そしてこの注文完了通知を改札口で見たユーザが店頭を訪れたときには、ＩＣカードによって支払いが行なわれる。このときには店頭機によって注文者の照合がＪＯＢＩＤという記録エリア内の情報等により行なわれて、店頭処理機からの支払い要求に応じてＩＣカードの電子マネー記憶領域から料金が引き落とされて一連の処理が終了することとなる。
【００９８】
このようにＩＣカードと自動改札システムを用いることで、プリント注文を簡単に行なうことができるＩＣカードシステムが構築される。
【００９９】
以上、説明したように、電子マネー機能を有するＩＣカードを活用することでユーザが撮影画像のプリント出力の注文を簡単に行なうことができるようになるＩＣカードシステム、そのＩＣカードシステムに用いられるＩＣカードリーダおよびＩＣカードが実現する。
【図面の簡単な説明】
【０１００】
【図１】本発明のＩＣカードシステム２の概念を説明するための概念図である。
【図２】本発明のＩＣカードシステム２に用いられるＩＣカード２０に画像データの記録を行なうことができるデジタルカメラ１００を示す図である。
【図３】図２に示したデジタルカメラ１００の回路構成を示すブロック図である。
【図４】そのプリント出力を注文する画像をＩＣカードに記録するときのメニュー画面を示す図である。
【図５】ＣＰＵが実行するＩＣカードへの記録処理の処理手順を示すフローチャートである。
【図６】図４のデジタルカメラでＩＣカード２０に画像データが記録されるときの記録フォーマットである。
【図７】ＩＣカードリーダ２０が実行する処理の手順を示すフローチャートである。
【図８】店頭機を店に設置した場合のプリント受注システムのサーバーが実行する処理を説明するフローチャートである。
【図９】店頭機が実行する処理を説明するフローチャートである。
【図１０】ＩＣカードとＩＣカードリーダとサーバと店頭機との間の情報のやり取りの状態を説明する通信状態図である。
【符号の説明】
【０１０１】
１００  デジタルカメラ
１３０    ＣＰＵ
１９０    ＩＣカードＩＦ
１９１    アンテナ
２    ＩＣカードシステム
２０    ＩＣカード
２１  ＩＣカードリーダ
２１０    ネットワークドライバ
【図１】
2009205520.tif 000003
【図２】
2009205520.tif 000004
【図３】
2009205520.tif 000005
【図４】
2009205520.tif 000006
【図５】
2009205520.tif 000007
【図６】
2009205520.tif 000008
【図７】
2009205520.tif 000009
【図８】
2009205520.tif 000010
【図９】
2009205520.tif 000011
【図１０】
2009205520.tif 000012